(57)【要約】  本開示は、伝送方法、移動通信端末およびネットワーク側機器を提供する。上記伝送方法において、ネットワーク側から送信されるアップリンクスケジューリンググラント情報を受信するステップと、アップリンクスケジューリンググラント情報が位置する参照サブフレームの第１サブフレーム番号、現在のフレーム構造のアップリンク／ダウンリンク構成方式、およびユーザの処理時間力に基づいて、サブフレームオフセット量を特定するステップと、アップリンクサブフレームまたはスペシャルサブフレームであり、かつその第２サブフレーム番号と前記第１サブフレーム番号との差が前記サブフレームオフセット量に等しい目標サブフレームを特定するステップと、前記目標サブフレームを利用してＰＵＳＣＨ伝送を行うステップとを含む。
2019530364.tif 000002
【特許請求の範囲】
【請求項１】
移動通信端末に応用される伝送方法において、
ネットワーク側から送信されるアップリンクスケジューリンググラント情報を受信するステップと、
前記アップリンクスケジューリンググラント情報が位置する参照サブフレームの第１サブフレーム番号、現在のフレーム構造のアップリンク／ダウンリンク構成方式、および、最小３つまたは２つのサブフレームであるユーザの処理時間力に基づいて、サブフレームオフセット量を特定するステップと、
アップリンクサブフレームまたはスペシャルサブフレームであり、かつその第２サブフレーム番号と前記第１サブフレーム番号との差が前記サブフレームオフセット量に等しい目標サブフレームを特定するステップと、
前記目標サブフレームを利用して物理アップリンク共有チャネルＰＵＳＣＨ（Ｐｈｙｓｉｃａｌ  Ｕｐｌｉｎｋ  Ｓｈａｒｅｄ  ＣＨａｎｎｅｌ）を伝送するステップとを含む伝送方法。
【請求項２】
前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６である請求項１に記載の伝送方法。
【請求項３】
前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である請求項１に記載の伝送方法。
【請求項４】
前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、
前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１に記載の伝送方法。
【請求項５】
前記現在のフレーム構造のアップリンク／ダウンリンク構成方式が３であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１に記載の伝送方法。
【請求項６】
前記現在のフレーム構造のアップリンク／ダウンリンク構成方式が４であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１に記載の伝送方法。
【請求項７】
前記現在のフレーム構造のアップリンク／ダウンリンク構成方式が５であり、かつ前記ユーザの処理時間力が最小３つのサブフレームである場合、前記第１サブフレーム番号と前記サブフレームオフセット量との関係として、
前記第１サブフレーム番号が８であると、前記サブフレームオフセット量が３であり、前記第１サブフレーム番号が９であると、前記サブフレームオフセット量が３である請求項１に記載の伝送方法。
【請求項８】
前記現在のフレーム構造のアップリンク／ダウンリンク構成方式が６であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が４であり、前記第１サブフレーム番号が１であると、前記サブフレームオフセット量が６および／または５であり、前記第１サブフレーム番号が５であると、前記サブフレームオフセット量が３であり、前記第１サブフレーム番号が６であると、前記サブフレームオフセット量が６および／または５であり、前記第１サブフレーム番号が９であると、前記サブフレームオフセット量が４であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である請求項１に記載の伝送方法。
【請求項９】
前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、
または、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である請求項１に記載の伝送方法。
【請求項１０】
前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１に記載の伝送方法。
【請求項１１】
前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である請求項１に記載の伝送方法。
【請求項１２】
前記現在のフレーム構造のアップリンク／ダウンリンク構成方式が３であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２および／または３であり、前記第１サブフレーム番号が８であると、前記サブフレームオフセット量が３であり、
または、
前記第１サブフレーム番号が０であると、前記サブフレームオフセット量が２であり、前記第１サブフレーム番号が１であると、前記サブフレームオフセット量が２および／または３であり、前記第１サブフレーム番号が９であると、前記サブフレームオフセット量が２であり、
または、
前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１に記載の伝送方法。
【請求項１３】
前記現在のフレーム構造のアップリンク／ダウンリンク構成方式が４であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が９であると、前記サブフレームオフセット量が２である請求項１に記載の伝送方法。
【請求項１４】
前記現在のフレーム構造のアップリンク／ダウンリンク構成方式が５であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が９であると、前記サブフレームオフセット量が２である請求項１に記載の伝送方法。
【請求項１５】
前記現在のフレーム構造のアップリンク／ダウンリンク構成方式が６であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２であり、
または、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１に記載の伝送方法。
【請求項１６】
前記第１サブフレーム番号が複数の初期サブフレームオフセット量に対応する場合、
前記アップリンクスケジューリンググラント情報が位置する参照サブフレームの第１サブフレーム番号、現在のフレーム構造のアップリンク／ダウンリンク構成方式、および前記ユーザの処理時間力に基づいて、サブフレームオフセット量を特定するステップは、
前記アップリンクスケジューリンググラント情報のアップリンクグラントインデックスフィールドの値に基づいて、複数の初期サブフレームオフセット量から一部または全てを選択して前記サブフレームオフセット量とする請求項２〜１５のいずれか一項に記載の伝送方法。
【請求項１７】
ネットワーク側に応用される伝送方法において、
第１サブフレーム番号を有する参照サブフレームを利用してアップリンクスケジューリンググラント情報を伝送するステップと、
アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信するステップとを含み、
前記サブフレームオフセット量は、前記第１サブフレーム番号、現在のフレーム構造のアップリンク／ダウンリンク構成方式、および、最小３つまたは２つのサブフレームであるユーザの処理時間力に関する伝送方法。
【請求項１８】
前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６である請求項１７に記載の伝送方法。
【請求項１９】
前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である請求項１７に記載の伝送方法。
【請求項２０】
前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、
前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１７に記載の伝送方法。
【請求項２１】
前記現在のフレーム構造のアップリンク／ダウンリンク構成方式が３であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１７に記載の伝送方法。
【請求項２２】
前記現在のフレーム構造のアップリンク／ダウンリンク構成方式が４であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１７に記載の伝送方法。
【請求項２３】
前記現在のフレーム構造のアップリンク／ダウンリンク構成方式が５であり、かつ前記ユーザの処理時間力が最小３つのサブフレームである場合、前記第１サブフレーム番号と前記サブフレームオフセット量との関係として、
前記第１サブフレーム番号が８であると、前記サブフレームオフセット量が３であり、前記第１サブフレーム番号が９であると、前記サブフレームオフセット量が３である請求項１７に記載の伝送方法。
【請求項２４】
前記現在のフレーム構造のアップリンク／ダウンリンク構成方式が６であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が４であり、前記第１サブフレーム番号が１であると、前記サブフレームオフセット量が６および／または５であり、前記第１サブフレーム番号が５であると、前記サブフレームオフセット量が３であり、前記第１サブフレーム番号が６であると、前記サブフレームオフセット量が６および／または５であり、前記第１サブフレーム番号が９であると、前記サブフレームオフセット量が４であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である請求項１７に記載の伝送方法。
【請求項２５】
前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、
または、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である請求項１７に記載の伝送方法。
【請求項２６】
前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１７に記載の伝送方法。
【請求項２７】
前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である請求項１７に記載の伝送方法。
【請求項２８】
前記現在のフレーム構造のアップリンク／ダウンリンク構成方式が３であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２および／または３であり、前記第１サブフレーム番号が８であると、前記サブフレームオフセット量が３であり、
または、
前記第１サブフレーム番号が０であると、前記サブフレームオフセット量が２であり、前記第１サブフレーム番号が１であると、前記サブフレームオフセット量が２および／または３であり、前記第１サブフレーム番号が９であると、前記サブフレームオフセット量が２であり、
または、
前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１７に記載の伝送方法。
【請求項２９】
前記現在のフレーム構造のアップリンク／ダウンリンク構成方式が４であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が９であると、前記サブフレームオフセット量が２である請求項１７に記載の伝送方法。
【請求項３０】
前記現在のフレーム構造のアップリンク／ダウンリンク構成方式が５であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が９であると、前記サブフレームオフセット量が２である請求項１７に記載の伝送方法。
【請求項３１】
前記現在のフレーム構造のアップリンク／ダウンリンク構成方式が６であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２であり、
または、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１７に記載の伝送方法。
【請求項３２】
前記第１サブフレーム番号が複数の初期サブフレームオフセット量に対応する場合、
前記第１サブフレーム番号を有する参照サブフレームを利用してアップリンクスケジューリンググラント情報を伝送するステップは、
アップリンクスケジューリンググラントによってスケジューリングされる目標サブフレームに基づいて、前記アップリンクスケジューリンググラント情報のアップリンクグラントインデックスフィールドに値を与え、
よって、移動通信端末は、前記アップリンクスケジューリンググラント情報のアップリンクグラントインデックスフィールドの値に基づいて、複数の初期サブフレームオフセット量から一部または全てを選択し、前記目標サブフレームを特定するためのサブフレームオフセット量とする請求項１８〜３１のいずれか一項に記載の伝送方法。
【請求項３３】
ネットワーク側から送信されるアップリンクスケジューリンググラント情報を受信することに用いられる第１受信モジュールと、
前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定することに用いられるサブフレームオフセット量特定モジュールと、
アップリンクサブフレームおよび／またはスペシャルサブフレームであり、かつその第２サブフレーム番号と前記第１サブフレーム番号との差が前記サブフレームオフセット量に等しい目標サブフレームを特定することに用いられる目標サブフレーム特定モジュールと、
前記目標サブフレームを利用してＰＵＳＣＨ伝送を行うことに用いられる第１伝送モジュールとを含む移動通信端末。
【請求項３４】
第１サブフレーム番号を有する参照サブフレームを利用してアップリンクスケジューリンググラント情報を伝送することに用いられる第２伝送モジュールと、
アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信することに用いられる第２受信モジュールと
を含み、
前記サブフレームオフセット量は、前記第１サブフレーム番号、現在のフレーム構造のアップリンク／ダウンリンク構成方式、および、最小３つまたは２つのサブフレームであるユーザの処理時間力に関するネットワーク側機器。
【請求項３５】
プロセッサと、プロセッサによる操作実行に用いられるデータを記憶することができるメモリと、データを送受信することに用いられるトランシーバとを含む移動通信端末において、
前記プロセッサは、
メモリからプログラムを読み取ることによって、
ネットワーク側から送信されるアップリンクスケジューリンググラント情報を受信するプロセスと、
前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定するプロセスと、
アップリンクサブフレームおよび／またはスペシャルサブフレームでありかつその第２サブフレーム番号と前記第１サブフレーム番号との差が前記サブフレームオフセット量に等しい目標サブフレームを特定するプロセスと、
前記目標サブフレームを利用してＰＵＳＣＨ伝送を行うプロセスとを実行することに用いられる移動通信端末。
【請求項３６】
プロセッサと、プロセッサによる操作実行に用いられるデータを記憶するメモリと、データを送受信することに用いられるトランシーバとを含むネットワーク側機器において、
前記プロセッサは、
メモリからプログラムを読み取ることによって、
第１サブフレーム番号を有する参照サブフレームを利用してアップリンクスケジューリンググラント情報を伝送するプロセスと、
アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信するプロセスと
を実行し、
前記サブフレームオフセット量は、前記第１サブフレーム番号、現在のフレーム構造のアップリンク／ダウンリンク構成方式、および、最小３つまたは２つのサブフレームであるユーザの処理時間力に関するネットワーク側機器。
【請求項３７】
コンピュータプログラムが格納されているコンピュータ読取可能な記憶媒体であって、
当該プログラムは、プロセッサによって実行されると、
ネットワーク側から送信されるアップリンクスケジューリンググラント情報を受信するステップと、
前記アップリンクスケジューリンググラント情報が位置する参照サブフレームの第１サブフレーム番号、現在のフレーム構造のアップリンク／ダウンリンク構成方式、および、最小３つまたは２つのサブフレームであるユーザの処理時間力に基づいて、サブフレームオフセット量を特定するステップと、
アップリンクサブフレームまたはスペシャルサブフレームであり、かつその第２サブフレーム番号と前記第１サブフレーム番号との差が前記サブフレームオフセット量に等しい目標サブフレームを特定するステップと、
前記目標サブフレームを利用してＰＵＳＣＨ伝送を行うステップとを含み、移動通信端末に応用される伝送方法を実現するコンピュータ読取可能な記憶媒体。
【請求項３８】
コンピュータプログラムが格納されているコンピュータ読取可能な記憶媒体であって、
当該プログラムは、プロセッサによって実行されると、
第１サブフレーム番号を有する参照サブフレームを利用してアップリンクスケジューリンググラント情報を伝送するステップと、
アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信するステップと
を含み、
前記サブフレームオフセット量は、前記第１サブフレーム番号、現在のフレーム構造のアップリンク／ダウンリンク構成方式、および、最小３つまたは２つのサブフレームであるユーザの処理時間力に関する、ネットワーク側に応用される伝送方法を実現するコンピュータ読取可能な記憶媒体。
【発明の詳細な説明】
【技術分野】
【０００１】
本願は、２０１６年９月３０日に中国特許庁に提出された中国特許出願２０１６１０８７５８６４．７の優先権を主張し、その全ての内容が援用によりここに取り込まれる。
【０００２】
本開示は、移動通信技術に係り、特に伝送方法、移動通信端末およびネットワーク側機器に係るものであり、アップリンクスケジューリンググラント情報によって、短間隔かつＵｐＰＴＳ（Ｕｐｌｉｎｋ  Ｐｉｌｏｔ  Ｔｉｍｅ  Ｓｌｏｔ）を含む物理アップリンク共有チャネルＰＵＳＣＨ（Ｐｈｙｓｉｃａｌ  Ｕｐｌｉｎｋ  Ｓｈａｒｅｄ  ＣＨａｎｎｅｌ）に対するスケジューリングを実現する。
【背景技術】
【０００３】
ＴＤ−ＬＴＥ（Ｔｉｍｅ  Ｄｉｖｉｓｉｏｎ  Ｌｏｎｇ  Ｔｅｒｍ  Ｅｖｏｌｕｔｉｏｎ）システムにおいて、同一長さのサブフレーム（Ｓｕｂ−ｆｒａｍｅ）構造が用いられ、各サブフレームの長さが１ｍｓであり、２つの０．５ｍｓのタイムスロットを含み、１０個のサブフレームで１０ｍｓの無線フレームを構成する。ＴＤ−ＬＴＥシステムの基本的なスケジューリング／伝送周期ＴＴＩ（Ｔｒａｎｓｐｏｒｔ  Ｔｉｍｅ  Ｉｎｔｅｒｖａｌ）は、１つのサブフレーム、すなわち１ｍｓである。これに応じて、フィードバックＴＴＩとデータ伝送ＴＴＩとの間のＴＴＩ間隔は、データ伝送遅延および機器によるデータ処理時間などの要素に基づいて設定され、通常４つのＴＴＩの長さに設定される。また、ＴＤ−ＬＴＥには、ＤｗＰＴＳ（Ｄｏｗｎｌｉｎｋ  Ｐｉｌｏｔ  Ｔｉｍｅ  Ｓｌｏｔ）、ＧＰ（Ｇｕａｒｄ  Ｐｅｒｉｏｄ）およびＵｐＰＴＳの３部分からなるスペシャルサブフレームも導入されている。
【０００４】
現在、ＴＤＤフレーム構造におけるスペシャルサブフレーム構成方式は、３ＧＰＰ（３ｒｄ  Ｇｅｎｅｒａｔｉｏｎ  Ｐａｒｔｎｅｒｓｈｉｐ  Ｐｒｏｊｅｃｔ）  ＴＳ（Ｔｅｃｈｎｉｃａｌ  Ｓｐｅｃｉｆｉｃａｔｉｏｎ）  ３６．２１１に定義されているスペシャルサブフレーム構成方式０〜９を含み、かつＵｐＰＴＳではアップリンクシグナリングとデータの伝送が行われない。ＨＡＲＱ（Ｈｙｂｒｉｄ  Ａｕｔｏｍａｔｉｃ  Ｒｅｐｅａｔ  ｒｅＱｕｅｓｔ）は、ＡＲＱ（Ａｕｔｏｍａｔｉｃ  Ｒｅｐｅａｔ  ｒｅＱｕｅｓｔ）とＦＥＣ（Ｆｏｒｗａｒｄ  Ｅｒｒｏｒ  Ｃｏｒｒｅｃｔｉｏｎ）との融合であり、ＬＴＥシステムにおけるリンク適応手段の一つである。
【０００５】
ＬＴＥシステムにおいて、ＮチャネルのＳＡＷ（ｓｔｏｐ-ａｎｄ-ｗａｉｔ）式のＨＡＲＱプロトコルが用いられ、すなわちＮ個のプロセスが同時に存在し、各プロセスでは、ＳＡＷ式のＡＲＱプロトコルによる伝送が行われる。送信側は、１つのデータパケットを送信すると、いったん停止し、受信側からの確認メッセージを待つ。受信側は、データを受信すると、誤り検出を行い、正しく受信すればＡＣＫ（ＡＣＫｎｏｗｌｅｄｇｅｍｅｎｔ）メッセージを送信側にフィードバックするが、そうでなければ、ＮＡＣＫ（Ｎｅｇａｔｉｖｅ  ＡＣＫｎｏｗｌｅｄｇｅｍｅｎｔ）メッセージを送信側にフィードバックする。送信側は、ＡＣＫ信号を受信すると、新規のデータを送信するが、そうでなければ、前回のデータパケットを再送する。並行して行われるＮ個のプロセスは、１つのプロセスのＳＡＷ中に、ほかのプロセスにおいてチャネルリソースを利用して伝送することができる。
【０００６】
ＴＤ−ＬＴＥシステムにおいて、アップリンクリンクでは、同期ＨＡＲＱ技術によって、各サブフレームが一定の時刻で再送されるが、時分割多重化が行われるアップリンク／ダウンリンク伝送の場合、各サブフレームに一定かつ同一のフィードバック時間間隔を与えることができない。異なるＴＤＤ（Ｔｉｍｅ  Ｄｉｖｉｓｉｏｎ  Ｄｕｐｌｅｘ）ＵＬ（ＵｐＬｉｎｋ）／ＤＬ（ＤｏｗｎＬｉｎｋ）構成において、それぞれのサブフレームでは、アップリンクグラントスケジューリング、ＡＣＫ／ＮＡＣＫフィードバックおよび再送の時間間隔が異なる。
【０００７】
しかし、機器の処理力がますます向上し、ユーザの処理時間力（Ｐｒｏｃｅｓｓｉｎｇ ｔｉｍｅ ｃａｐａｂｉｌｉｔｙ）がますます低下し、同時にＵｐＰＴＳでのＰＵＳＣＨ伝送が可能であることに伴い、従来技術のアップリンクスケジューリンググラントとＰＵＳＣＨのスケジューリング対応関係が適用しなくなる。
【０００８】
したがって、上記の変化に適応する新しい提案が必要とされている。
【発明の概要】
【課題を解決するための手段】
【０００９】
本開示の目的は、伝送方法、移動通信端末およびネットワーク側機器を提供し、アップリンクスケジューリンググラント情報によって、短間隔かつＵｐＰＴＳを含むＰＵＳＣＨに対するスケジューリングを実現することである。
【００１０】
上記目的を実現するために、本開示の実施例は、移動通信端末に応用される伝送方法を提供する。前記伝送方において、ネットワーク側から送信されるアップリンクスケジューリンググラント情報を受信するステップと、前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定するステップと、アップリンクサブフレームおよび／またはスペシャルサブフレームであり、かつその第２サブフレーム番号と前記第１サブフレーム番号との差が前記サブフレームオフセット量に等しい目標サブフレームを特定するステップと、前記目標サブフレームを利用してＰＵＳＣＨ伝送を行うするステップとを含む。
【００１１】
上記目的を実現するために、本開示の実施例は、さらに、ネットワーク側に応用される伝送方法を提供する。前記伝送方において、第１サブフレーム番号を有する参照サブフレームを利用してアップリンクスケジューリンググラント情報を伝送するステップと、目標サブフレームでＰＵＳＣＨを受信するステップとを含む。前記目標サブフレームは、アップリンクサブフレームまたはスペシャルサブフレームであり、かつその第２サブフレーム番号と前記第１サブフレーム番号との差がサブフレームオフセット量に等しい。前記サブフレームオフセット量は、前記第１サブフレーム番号、現在のフレーム構造のアップリンク／ダウンリンク構成方式、および前記ユーザの処理時間力に関する。
【００１２】
上記目的を実現するために、本開示の実施例は、ネットワーク側から送信されるアップリンクスケジューリンググラント情報を受信することに用いられる第１受信モジュールと、前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定することに用いられるサブフレームオフセット量特定モジュールと、アップリンクサブフレームおよび／またはスペシャルサブフレームであり、かつその第２サブフレーム番号と前記第１サブフレーム番号との差が前記サブフレームオフセット量に等しい目標サブフレームを特定することに用いられる目標サブフレーム特定モジュールと、前記目標サブフレームを利用してＰＵＳＣＨ伝送を行うことに用いられる第１伝送モジュールとを含む移動通信端末を提供する。
【００１３】
上記目的を実現するために、本開示の実施例は、さらに、第１サブフレーム番号を有する参照サブフレームを利用してアップリンクスケジューリンググラント情報を伝送することに用いられる第２伝送モジュールと、アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信することに用いられる第２受信モジュールとを含み、前記サブフレームオフセット量は、前記第１サブフレーム番号、現在のフレーム構造のアップリンク／ダウンリンク構成方式、および前記ユーザの処理時間力に関するネットワーク側機器を提供する。
【００１４】
上記目的を実現するために、本開示の実施例は、さらに、プロセッサと、プロセッサによる操作実行に用いられるデータを記憶することができるメモリと、データを送受信することに用いられるトランシーバとを含む移動通信端末を提供する。前記プロセッサは、メモリからプログラムを読み取ることによって、ネットワーク側から送信されるアップリンクスケジューリンググラント情報を受信するプロセスと、前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定するプロセスと、アップリンクサブフレームおよび／またはスペシャルサブフレームであり、かつその第２サブフレーム番号と前記第１サブフレーム番号との差が前記サブフレームオフセット量に等しい目標サブフレームを特定するプロセスと、前記目標サブフレームを利用してＰＵＳＣＨ伝送を行うプロセスとを実行することに用いられる。
【００１５】
上記目的を実現するために、本開示の実施例は、さらに、プロセッサと、プロセッサによる操作実行に用いられるデータを記憶することができるメモリと、データを送受信することに用いられるトランシーバとを含むネットワーク側機器を提供する。前記プロセッサは、メモリからプログラムを読み取ることによって、第１サブフレーム番号を有する参照サブフレームを利用してアップリンクスケジューリンググラント情報を伝送するプロセスと、アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信するプロセスとを実行し、前記サブフレームオフセット量は、前記第１サブフレーム番号、現在のフレーム構造のアップリンク／ダウンリンク構成方式、および、最小３つまたは２つのサブフレームであるユーザの処理時間力に関することに用いられる。
【００１６】
上記目的を実現するために、本開示の実施例は、コンピュータプログラムが格納されているコンピュータ読取可能な記憶媒体を提供する。当該プログラムは、プロセッサによって実行されると、ネットワーク側から送信されるアップリンクスケジューリンググラント情報を受信するステップと、前記アップリンクスケジューリンググラント情報が位置する参照サブフレームの第１サブフレーム番号、現在のフレーム構造のアップリンク／ダウンリンク構成方式、および、最小３つまたは２つのサブフレームであるユーザの処理時間力に基づいて、サブフレームオフセット量を特定するステップと、アップリンクサブフレームまたはスペシャルサブフレームでありかつその第２サブフレーム番号と前記第１サブフレーム番号との差が前記サブフレームオフセット量に等しい目標サブフレームを特定するステップと、前記目標サブフレームを利用してＰＵＳＣＨ伝送を行うステップとを含み、移動通信端末に応用される伝送方法を実現する。
【００１７】
上記目的を実現するために、本開示の実施例は、さらに、コンピュータプログラムが格納されているコンピュータ読取可能な記憶媒体を提供する。当該プログラムは、プロセッサによって実行されると、第１サブフレーム番号を有する参照サブフレームを利用してアップリンクスケジューリンググラント情報を伝送するステップと、アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信するステップとを含み、前記サブフレームオフセット量は、前記第１サブフレーム番号、現在のフレーム構造のアップリンク／ダウンリンク構成方式、および、最小３つまたは２つのサブフレームであるユーザの処理時間力に関するネットワーク側に応用される伝送方法を実現する。
【発明の効果】
【００１８】
本開示の実施例において、アップリンクスケジューリンググラント情報を伝送する参照サブフレームのサブフレーム番号、ＰＵＳＣＨを伝送する目標サブフレームのサブフレーム番号、アップリンク／ダウンリンク構成方式および処理遅延の対応関係を再構築するとともに、ＵｐＰＴＳのＰＵＳＣＨ伝送力が考慮されるため、アップリンクスケジューリンググラント情報によって、短間隔かつＵｐＰＴＳを含むＰＵＳＣＨに対するスケジューリングを実現することができる。
【００１９】
本開示の実施例の技術手段をより明確に説明するために、以下、本開示の実施例に必要とされる図面を簡単に紹介する。明らかに、以下に記載される図面は、単に本開示の一部の実施例である。当業者にとって、創造性のある作業をしない前提で、これらの図面から他の図面を得ることもできる。
【図面の簡単な説明】
【００２０】
【図１】本開示の実施例の端末側に応用される伝送方法のフローチャートである。
【図２】本開示の実施例のサブフレーム構成に対応する構成図である。
【図３ａ】本開示の実施例の各構成に対応するタイムシーケンス図である。
【図３ｂ】本開示の実施例の各構成に対応するタイムシーケンス図である。
【図３ｃ】本開示の実施例の各構成に対応するタイムシーケンス図である。
【図３ｄ】本開示の実施例の各構成に対応するタイムシーケンス図である。
【図３ｅ】本開示の実施例の各構成に対応するタイムシーケンス図である。
【図３ｆ】本開示の実施例の各構成に対応するタイムシーケンス図である。
【図３ｇ】本開示の実施例の各構成に対応するタイムシーケンス図である。
【図３ｈ】本開示の実施例の各構成に対応するタイムシーケンス図である。
【図３ｉ】本開示の実施例の各構成に対応するタイムシーケンス図である。
【図３ｊ】本開示の実施例の各構成に対応するタイムシーケンス図である。
【図３ｋ】本開示の実施例の各構成に対応するタイムシーケンス図である。
【図３ｌ】本開示の実施例の各構成に対応するタイムシーケンス図である。
【図３ｍ】本開示の実施例の各構成に対応するタイムシーケンス図である。
【図３ｎ】本開示の実施例の各構成に対応するタイムシーケンス図である。
【図３ｏ】本開示の実施例の各構成に対応するタイムシーケンス図である。
【図３ｐ】本開示の実施例の各構成に対応するタイムシーケンス図である。
【図３ｑ】本開示の実施例の各構成に対応するタイムシーケンス図である。
【図３ｒ】本開示の実施例の各構成に対応するタイムシーケンス図である。
【図３ｓ】本開示の実施例の各構成に対応するタイムシーケンス図である。
【図４】本開示の実施例のネットワーク側に応用される伝送方法のフローチャートである。
【図５】本開示の実施例の移動通信端末の構造図である。
【図６】本開示の実施例のネットワーク側機器の構造図である。
【発明を実施するための形態】
【００２１】
以下、本発明の実施例の図面に関連し、本開示の実施例の技術手段を明確且つ完全的に記載する。明らかに、記載される実施例は、本開示の実施例の一部であり、全てではない。本開示の実施例に基づき、当業者が創造性のある作業をしなくても為しえる全ての実施例は、いずれも本開示の保護範囲に属するものである。
【００２２】
本開示の実施例において、アップリンクスケジューリンググラント情報を伝送する参照サブフレームのサブフレーム番号、ＰＵＳＣＨを伝送する目標サブフレームのサブフレーム番号、アップリンク／ダウンリンク構成方式および処理遅延の対応関係を再構築するとともに、ＵｐＰＴＳのＰＵＳＣＨ伝送力が考慮されるため、アップリンクスケジューリンググラント情報によって、短間隔かつＵｐＰＴＳを含むＰＵＳＣＨに対するスケジューリングを実現することができる。
【００２３】
図１に示すように、本開示の実施例の移動通信端末に応用される伝送方法において、ネットワーク側から送信されるアップリンクスケジューリンググラント情報を受信するステップ１０１と、前記アップリンクスケジューリンググラント情報が位置する参照サブフレームの第１サブフレーム番号、現在のフレーム構造のアップリンク／ダウンリンク構成方式、および、最小３つまたは２つのサブフレームであるユーザの処理時間力に基づいて、サブフレームオフセット量を特定するステップ１０２と、アップリンクサブフレームまたはスペシャルサブフレームであり、かつその第２サブフレーム番号と前記第１サブフレーム番号との差が前記サブフレームオフセット量に等しい目標サブフレームを特定するステップ１０３と、前記目標サブフレームを利用してＰＵＳＣＨ伝送を行うステップ１０４とを含む。
【００２４】
本開示の実施例の伝送方法において、ダウンリンク制御チャネルにおけるアップリンクスケジューリンググラント情報を伝送する参照サブフレームのサブフレーム番号、ＰＵＳＣＨを伝送する目標サブフレームのサブフレーム番号、アップリンク／ダウンリンク構成方式および処理遅延の対応関係を再構築するとともに、ＵｐＰＴＳのＰＵＳＣＨ伝送力が考慮されるため、アップリンクスケジューリンググラント情報によって、短間隔かつＵｐＰＴＳを含むＰＵＳＣＨに対するスケジューリングを実現することができる。
【００２５】
関連基準の規定では、ＴＤＤの異なるアップリンク／ダウンリンク構成と通常のＨＡＲＱ操作について、ユーザ機器は、サブフレームｎで伝送されるＰＤＣＣＨ（Ｐｈｙｓｉｃａｌ  Ｄｏｗｎｌｉｎｋ  Ｃｏｎｔｒｏｌ  ＣＨａｎｎｅｌ）／ＥＰＤＣＣＨ（Ｅｎｈａｎｃｅｄ  Ｐｈｙｓｉｃａｌ  Ｄｏｗｎｌｉｎｋ  Ｃｏｎｔｒｏｌ  Ｃｈａｎｎｅｌ）に付帯されたアップリンクＤＣＩ（Ｄｏｗｎｌｉｎｋ  Ｃｏｎｔｒｏｌ  Ｉｎｆｏｒｍａｔｉｏｎ）フォーマット（アップリンクスケジューリンググラント情報を含む）、または、検出したＰＨＩＣＨ（Ｐｈｙｓｉｃａｌ  ＨＡＲＱ  Ｉｎｄｉｃａｔｏｒ  ＣＨａｎｎｅｌ）伝送に基づいて、サブフレームｎ＋ｋでのＰＵＳＣＨ伝送を調整する。
【００２６】
本開示の実施例に関連して言えば、上記のｎは、第１サブフレーム番号であり、ｋは、上記サブフレームオフセット量である。
【００２７】
図２に示すように、従来のアップリンク／ダウンリンク構成方式は、方式０〜６の計７種類のアップリンク／ダウンリンク構成方式を含む。本開示の具体的な実施例において、ユーザの処理時間力は、最小３つのサブフレームまたは最小２つのサブフレームの２種類を含む。以下、７種類のアップリンク／ダウンリンク構成方式と２種類の処理遅延をそれぞれ組み合わせて、アップリンクグラントとＰＵＳＣＨのスケジューリングとの対応関係をそれぞれ記載する。
【００２８】
具体的なアップリンクグラントとＰＵＳＣＨのスケジューリングとの対応関係を記載する前に、まず本開示の実施例においてアップリンクグラントとＰＵＳＣＨのスケジューリングとの対応関係を設計する上のルールを以下簡単に説明する。
ルール１：なるべく多くのダウンリンクサブフレームに各アップリンクプロセスのアップリンクグラントを伝搬させる。
ルール２：各ダウンリンクサブフレームになるべく少ないアップリンクプロセスのアップリンクグラントを伝搬させる。
ルール３：アップリンクグラントからスケジューリングされたＰＵＳＣＨまでの時間遅延を、処理時間を満足する前提でなるべく小さくする。
【００２９】
以下、詳細に説明する。
前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、または、前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６である。
【００３０】
下記表１と表２に示すように、ある第１サブフレーム番号ｎに対して、表では２つのｋの値が与えられると、どのオフセット値に対応するアップリンクサブフレームをスケジューリングしたかをアップリンクインデックス（ＵＬ  ｉｎｄｅｘ）の値によって区別することを考慮し、そのうちの一方の値をｋとし、他方がＵＬ  ｉｎｄｅｘの具体値に対応するが、時間遅延低下力（Ｔｉｍｅ ｄｅｌａｙ ｒｅｄｕｃｔｉｏｎ ｃａｐａｂｉｌｉｔｙ）を有しないＵＥの場合、構成０ではＵＬ  ｉｎｄｅｘのＭＳＢ（Ｍｏｓｔ  Ｓｉｇｎｉｆｉｃａｎｔ  Ｂｉｔ）とＬＳＢ（Ｌｅａｓｔ  Ｓｉｇｎｉｆｉｃａｎｔ  Ｂｉｔ）の値によって、スケジューリングしたのがｎ＋ｋのＰＵＳＣＨであるかｎ＋７のＰＵＳＣＨであるかを区別する従来技術に類似する。これに対応し、例えばサブフレーム０、５のオフセット量３をｋとすると、ＵＬ  ｉｎｄｅｘのある値をｎ＋４に対応させ、ある値をｎ＋ｋとｎ＋４の同時スケジューリングに対応させる。ほかの第１サブフレーム番号も同様であり、かつほかのアップリンク／ダウンリンク構成とほかのユーザ処理時間力に関する表も類似である。
【００３１】
【表１】
2019530364.tif 000003
【００３２】
上記表１に示すように、各ダウンリンクサブフレーム（スペシャルタイムスロットのＤｗＰＴＳを含む）は、２つのアップリンクプロセスをスケジューリングし、かつ伝送時間が早いアップリンクサービスチャネルに対して、対応するアップリンクスケジューリンググラント情報を伝送するサブフレームも早い。すなわち、サブフレーム０でサブフレーム３、４をスケジューリングし、サブフレーム５でサブフレーム８、９をスケジューリングし、サブフレーム１でサブフレーム６、７でのＰＵＳＣＨをスケジューリングし、サブフレーム６でサブフレーム１、２でのＰＵＳＣＨをスケジューリングする。
【００３３】
上記表からわかるように、各第１サブフレーム番号に２つの初期サブフレームオフセット量に対応し、すなわち、第１サブフレーム番号とサブフレームオフセット量とは一意的な関係ではなく、すなわち、第１サブフレーム番号に対して、１つのサブフレームでのＰＵＳＣＨをスケジューリングしてもよく、２つのサブフレームでのＰＵＳＣＨをスケジューリングしてもよい。この場合、端末のスケジューリングのために、本開示の具体的な実施例において、前記アップリンクスケジューリンググラント情報が位置する参照サブフレームの第１サブフレーム番号、現在のフレーム構造のアップリンク／ダウンリンク構成方式、および前記ユーザの処理時間力に基づいて、サブフレームオフセット量を特定するステップは、前記アップリンクスケジューリンググラント情報のアップリンクグラントインデックスフィールドの値に基づいて、複数の初期サブフレームオフセット量から一部または全てを選択して前記サブフレームオフセット量とする。
【００３４】
以下詳細に説明する。
アップリンクグラントインデックスフィールドは、ＭＳＢとＬＳＢの２つのビットを含む。ＭＳＢ＝１、ＬＳＢ＝０の場合、端末がサブフレームｎ（第１サブフレーム番号に対応するサブフレーム）のアップリンクスケジューリンググラント情報に基づいてサブフレーム（ｎ＋ｋ）でのＰＵＳＣＨ伝送を調整する必要があることを示す。表１に示すように、ｋは、サブフレーム０、５の場合、表４の３または４であり、サブフレーム１、６の場合、５または６である。
ＭＳＢ＝０、ＬＳＢ＝１の場合、端末がサブフレームｎ（第１サブフレーム番号に対応するサブフレーム）のアップリンクスケジューリンググラント情報に基づいてサブフレーム（ｎ＋ｍ）でのＰＵＳＣＨ伝送を調整する必要があることを示す。表１に示すように、ｍは、サブフレーム０、５の場合、３または４のうちｋとは異なる値であり、サブフレーム１、６の場合、表４の５または６のうちｋとは異なる値である。
ＭＳＢ＝１、ＬＳＢ＝１の場合、端末がサブフレームｎ（第１サブフレーム番号に対応するサブフレーム）のアップリンクスケジューリンググラント情報に基づいてサブフレーム（ｎ＋ｋ）およびサブフレーム（ｎ＋ｍ）でのＰＵＳＣＨ伝送を調整する必要があることを示す。この場合、１つのアップリンクグラントで同時に２つのＰＵＳＣＨのリソースをスケジューリングすることを示す。
【００３５】
上記のスケジューリング方式に対応するタイムシーケンス図は、図３ａに示すとおりであり、計７つのプロセスを含む。
【００３６】
斜線部分は、アップリンクスケジューリンググラント情報を示し、それ以外の表示方式でＰＵＳＣＨを示す。下記の図面も同様の方式が用いられ、重複して説明しない。
【００３７】
スペシャルサブフレーム構成１０の場合のみにおいてスペシャルサブフレームでのアップリンクプロセスが行われることを考慮し、ノーマルサブフレームでのアップリンクグラント（ＵＬ  ｇｒａｎｔ）からＰＵＳＣＨまでの時間遅延の最小化を優先して保証する。この場合でも、各ダウンリンクサブフレーム（スペシャルタイムスロットのＤｗＰＴＳを含む）で２つのアップリンクプロセスをスケジューリングする。すなわち、サブフレーム０でサブフレーム３、６をスケジューリングし、サブフレーム５でサブフレーム８、１をスケジューリングし、サブフレーム１でサブフレーム４、７でのＰＵＳＣＨをスケジューリングし、サブフレーム６でサブフレーム９、２でのＰＵＳＣＨをスケジューリングする。
【００３８】
同様に、アップリンクグラントインデックスフィールドの２ビットによって、どのサブフレームをスケジューリングしたかを区別する。
ＭＳＢ＝１、ＬＳＢ＝０の場合、端末がサブフレームｎのＵＬ  ｇｒａｎｔ情報に基づいてサブフレーム（ｎ＋ｋ）でのＰＵＳＣＨ伝送を調整する必要があることを示す。ｋは、サブフレーム０、５の場合、３または６であり、サブフレーム１、６の場合、３または６である。
ＭＳＢ＝０、ＬＳＢ＝１の場合、端末がサブフレームｎのＵＬ  ｇｒａｎｔ情報に基づいてサブフレーム（ｎ＋ｍ）でのＰＵＳＣＨ伝送を調整する必要があることを示す。ｍは、サブフレーム０、５の場合、３または６のうちｋとは異なる値であり、サブフレーム１、６の場合、３または６のうちｋとは異なる値である。
ＭＳＢ＝１、ＬＳＢ＝１の場合、端末がサブフレームｎのＵＬ  ｇｒａｎｔ情報に基づいて同時にサブフレーム（ｎ＋ｋ）およびサブフレーム（ｎ＋ｍ）でのＰＵＳＣＨ伝送を調整する必要があることを示す。この場合、２つのＰＵＳＣＨのリソースを同時にスケジューリングする。
【００３９】
方式２に対応する最小遅延が３つのサブフレームである場合の第１サブフレーム番号とサブフレームオフセット量との対応関係は、表２に示されている。
【００４０】
【表２】
2019530364.tif 000004
【００４１】
上記スケジューリング方式に対応するタイムシーケンス図は、図３ｂに示すとおりであり、計７つのプロセスを含む。
【００４２】
前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、下記表３のように、前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である。
【００４３】
【表３】
2019530364.tif 000005
【００４４】
上記スケジューリング方式に対応するタイムシーケンス図は、図３ｃに示すとおりであり、計５つのプロセスを含む。
【００４５】
前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、下記表４のように、前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３である。
【００４６】
【表４】
2019530364.tif 000006
【００４７】
上記スケジューリング方式に対応するタイムシーケンス図は、図３ｄに示すとおりであり、計４つのプロセスを含む。
【００４８】
前記現在のフレーム構造のアップリンク／ダウンリンク構成方式が３であり、かつ前記ユーザの処理時間力が最小３つのサブフレームである場合、前記第１サブフレーム番号と前記サブフレームオフセット量との関係として、下記表５のように、前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である。
【００４９】
【表５】
2019530364.tif 000007
【００５０】
上記スケジューリング方式に対応するタイムシーケンス図は、図３ｅに示すとおりであり、計４つのプロセスを含む。
【００５１】
前記現在のフレーム構造のアップリンク／ダウンリンク構成方式が４であり、かつ前記ユーザの処理時間力が最小３つのサブフレームである場合、前記第１サブフレーム番号と前記サブフレームオフセット量との関係として、下記表６のように、前記第１サブフレーム番号が０であると、前記サブフレームオフセット量が３であり、前記第１サブフレーム番号が８であると、前記サブフレームオフセット量が３であり、前記第１サブフレーム番号が９であると、前記サブフレームオフセット量が３である。
【００５２】
【表６】
2019530364.tif 000008
【００５３】
上記スケジューリング方式に対応するタイムシーケンス図は、図３ｆに示すとおりであり、計３つのプロセスを含む。
【００５４】
前記現在のフレーム構造のアップリンク／ダウンリンク構成方式が５であり、かつ前記ユーザの処理時間力が最小３つのサブフレームである場合、前記第１サブフレーム番号と前記サブフレームオフセット量との関係として、下記表７のように、前記第１サブフレーム番号が８であると、前記サブフレームオフセット量が３であり、前記第１サブフレーム番号が９であると、前記サブフレームオフセット量が３である。
【００５５】
【表７】
2019530364.tif 000009
【００５６】
上記スケジューリング方式に対応するタイムシーケンス図は、図３ｇに示すとおりであり、計２つのプロセスを含む。
【００５７】
前記現在のフレーム構造のアップリンク／ダウンリンク構成方式が６であり、かつ前記ユーザの処理時間力が最小３つのサブフレームである場合、前記第１サブフレーム番号と前記サブフレームオフセット量との関係として、下記表８、９のように、前記第１サブフレーム番号が０であると、前記サブフレームオフセット量が４であり、前記第１サブフレーム番号が１であると、前記サブフレームオフセット量が６および／または５であり、前記第１サブフレーム番号が５であると、前記サブフレームオフセット量が３であり、前記第１サブフレーム番号が６であると、前記サブフレームオフセット量が６および／または５であり、前記第１サブフレーム番号が９であると、前記サブフレームオフセット量が４であり、または、前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である。
【００５８】
【表８】
2019530364.tif 000010
【００５９】
表８に示す構成において、スペシャルサブフレームでのＰＵＳＣＨは、常にその後のノーマルアップリンクサブフレームと同時にスケジューリングされる。その際に、サブフレーム１での１つのアップリンクスケジューリンググラント情報があれば、サブフレーム６とサブフレーム７でのＰＵＳＣＨ伝送をスケジューリングすることができ、サブフレーム６での１つのアップリンクスケジューリンググラント情報があれば、サブフレーム１とサブフレーム２でのＰＵＳＣＨ伝送をスケジューリングすることができる。
【００６０】
【表９】
2019530364.tif 000011
【００６１】
表９の構成において、時間遅延が相対的に短い。
【００６２】
表８と表９の構成において、アップリンクスケジューリンググラント情報によってスケジューリングされるアップリンクサブフレームを、アップリンクグラントインデックスフィールドを導入して区別する必要があり、すなわち、前記アップリンクスケジューリンググラント情報におけるアップリンクグラントインデックスフィールドの値に基づいて、複数の初期サブフレームオフセット量から一部または全てを選択して前記サブフレームオフセット量とする。
【００６３】
表８／９の構成に対応するタイムシーケンス図は、それぞれ図３ｈと図３ｉである。
【００６４】
前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、下記表１０と表１１に示すように、前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、または、前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である。
【００６５】
【表１０】
2019530364.tif 000012
【００６６】
【表１１】
2019530364.tif 000013
【００６７】
表１０と表１１の構成において、アップリンクスケジューリンググラント情報によってスケジューリングされるアップリンクサブフレームを、アップリンクグラントインデックスフィールドを導入して区別する必要があり、すなわち、前記アップリンクスケジューリンググラント情報におけるアップリンクグラントインデックスフィールドの値に基づいて、複数の初期サブフレームオフセット量から一部または全てを選択して前記サブフレームオフセット量とする。
【００６８】
表１０／１１の構成に対応するタイムシーケンス図は、それぞれ図３ｊと図３ｋである。
【００６９】
前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、下記表１２に示すように、前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である。
【００７０】
【表１２】
2019530364.tif 000014
【００７１】
表１２の構成に対応するタイムシーケンス図は、図３ｌである。
【００７２】
前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、下記表１３に示すように、前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である。
【００７３】
【表１３】
2019530364.tif 000015
【００７４】
表１３の構成に対応するタイムシーケンス図は、図３ｍである。
【００７５】
前記現在のフレーム構造のアップリンク／ダウンリンク構成方式が３であり、かつ前記ユーザの処理時間力が最小２つのサブフレームである場合、前記第１サブフレーム番号と前記サブフレームオフセット量との関係として、下記表１４と表１５に示すように、前記第１サブフレーム番号が０であると、前記サブフレームオフセット量が２であり、前記第１サブフレーム番号が１であると、前記サブフレームオフセット量が２および／または３であり、前記第１サブフレーム番号が８であると、前記サブフレームオフセット量が３であり、または、前記第１サブフレーム番号が０であると、前記サブフレームオフセット量が２であり、前記第１サブフレーム番号が１であると、前記サブフレームオフセット量が２および／または３であり、前記第１サブフレーム番号が９であると、前記サブフレームオフセット量が２である。
【００７６】
【表１４】
2019530364.tif 000016
【００７７】
【表１５】
2019530364.tif 000017
【００７８】
表１４と表１５の構成において、アップリンクスケジューリンググラント情報によってスケジューリングされるアップリンクサブフレームを、アップリンクグラントインデックスフィールドを導入して区別する必要があり、すなわち、前記アップリンクスケジューリンググラント情報におけるアップリンクグラントインデックスフィールドの値に基づいて、複数の初期サブフレームオフセット量から一部または全てを選択して前記サブフレームオフセット量とする。
【００７９】
表１４／１５の構成に対応するタイムシーケンス図は、それぞれ図３ｎと図３ｏである。
【００８０】
もちろん、サブフレームのスケジューリングをなるべく分けるために、ユーザの処理時間力が最小２つのサブフレームである場合、下記方式でスケジューリングしてもよい。すなわち、前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である。
【００８１】
対応する表は、表５であり、対応するタイムシーケンス図は、３ｅであるため、ここでは繰り返して記載しない。
【００８２】
前記現在のフレーム構造のアップリンク／ダウンリンク構成方式が４であり、かつ前記ユーザの処理時間力が最小２つのサブフレームである場合、前記第１サブフレーム番号と前記サブフレームオフセット量との関係として、下記表１６のように、前記第１サブフレーム番号が０であると、前記サブフレームオフセット量が２であり、前記第１サブフレーム番号が１であると、前記サブフレームオフセット量が２であり、前記第１サブフレーム番号が９であると、前記サブフレームオフセット量が２である。
【００８３】
【表１６】
2019530364.tif 000018
【００８４】
表１６の構成に対応するタイムシーケンス図は、図３ｐである。
【００８５】
前記現在のフレーム構造のアップリンク／ダウンリンク構成方式が５であり、かつ前記ユーザの処理時間力が最小２つのサブフレームである場合、前記第１サブフレーム番号と前記サブフレームオフセット量との関係として、下記表１７のように、前記第１サブフレーム番号が０であると、前記サブフレームオフセット量が２であり、前記第１サブフレーム番号が９であると、前記サブフレームオフセット量が２である。
【００８６】
【表１７】
2019530364.tif 000019
【００８７】
表１７の構成に対応するタイムシーケンス図は、図３ｑである。
【００８８】
前記現在のフレーム構造のアップリンク／ダウンリンク構成方式が６であり、かつ前記ユーザの処理時間力が最小２つのサブフレームである場合、前記第１サブフレーム番号と前記サブフレームオフセット量との関係として、下記表１８と表１９のように、前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２であり、または、前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である。
【００８９】
【表１８】
2019530364.tif 000020
【００９０】
【表１９】
2019530364.tif 000021
【００９１】
表１８と表１９の構成において、アップリンクスケジューリンググラント情報によってスケジューリングされるアップリンクサブフレームを、アップリンクグラントインデックスフィールドを導入して区別する必要があり、すなわち、前記アップリンクスケジューリンググラント情報におけるアップリンクグラントインデックスフィールドの値に基づいて、複数の初期サブフレームオフセット量から一部または全てを選択して前記サブフレームオフセット量とする。
【００９２】
表１８／１９の構成に対応するタイムシーケンス図は、それぞれ図３ｒと図３ｓである。
【００９３】
アップリンク／ダウンリンク構成方式０〜６に対応し、本開示の実施例において、ＵｐＰＴＳでのＰＵＳＣＨ伝送を考慮したプロセス数は、それぞれ５、３、２、４、３、２、５である。
【００９４】
図４に示すように、本開示の実施例のネットワーク側に応用される伝送方法において、第１サブフレーム番号を有する参照サブフレームを利用してアップリンクスケジューリンググラント情報を伝送するステップ４０１と、目標サブフレームでＰＵＳＣＨを受信するステップ４０２とを含む。前記目標サブフレームは、アップリンクサブフレームまたはスペシャルサブフレームであり、かつその第２サブフレーム番号と前記第１サブフレーム番号との差が前記サブフレームオフセット量に等しい。前記サブフレームオフセット量は、前記第１サブフレーム番号、現在のフレーム構造のアップリンク／ダウンリンク構成方式、および前記ユーザの処理時間力に関する。前記ユーザの処理時間力は、最小３つまたは２つのサブフレームである。
【００９５】
上記の伝送方法において、前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、または、前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６である。
【００９６】
上記の伝送方法において、前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である。
【００９７】
上記の伝送方法において、前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３である。
【００９８】
上記の伝送方法において、前記現在のフレーム構造のアップリンク／ダウンリンク構成方式が３であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である。
【００９９】
上記の伝送方法において、前記現在のフレーム構造のアップリンク／ダウンリンク構成方式が４であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３であり、前記第１サブフレーム番号が８であると、前記サブフレームオフセット量が３であり、前記第１サブフレーム番号が９であると、前記サブフレームオフセット量が３である。
【０１００】
上記の伝送方法において、前記現在のフレーム構造のアップリンク／ダウンリンク構成方式が５であり、かつ前記ユーザの処理時間力が最小３つのサブフレームである場合、前記第１サブフレーム番号と前記サブフレームオフセット量との関係として、前記第１サブフレーム番号が８であると、前記サブフレームオフセット量が３であり、前記第１サブフレーム番号が９であると、前記サブフレームオフセット量が３である。
【０１０１】
上記の伝送方法において、前記現在のフレーム構造のアップリンク／ダウンリンク構成方式が６であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が４であり、前記第１サブフレーム番号が１であると、前記サブフレームオフセット量が６および／または５であり、前記第１サブフレーム番号が５であると、前記サブフレームオフセット量が３であり、前記第１サブフレーム番号が６であると、前記サブフレームオフセット量が６および／または５であり、前記第１サブフレーム番号が９であると、前記サブフレームオフセット量が４であり、または、前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である。
【０１０２】
上記の伝送方法において、前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、または、前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である。
【０１０３】
上記の伝送方法において、前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である。
【０１０４】
上記の伝送方法において、前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である。
【０１０５】
上記の伝送方法において、前記現在のフレーム構造のアップリンク／ダウンリンク構成方式が３であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が１であると、前記サブフレームオフセット量が２および／または３であり、前記第１サブフレーム番号が８であると、前記サブフレームオフセット量が３であり、または、前記第１サブフレーム番号が０であると、前記サブフレームオフセット量が２であり、前記第１サブフレーム番号が１であると、前記サブフレームオフセット量が２および／または３であり、前記第１サブフレーム番号が９であると、前記サブフレームオフセット量が２である。
【０１０６】
上記の伝送方法において、前記現在のフレーム構造のアップリンク／ダウンリンク構成方式が４であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が１であると、前記サブフレームオフセット量が２であり、前記第１サブフレーム番号が９であると、前記サブフレームオフセット量が２である。
【０１０７】
上記の伝送方法において、前記現在のフレーム構造のアップリンク／ダウンリンク構成方式が５であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が９であると、前記サブフレームオフセット量が２である。
【０１０８】
上記の伝送方法において、前記現在のフレーム構造のアップリンク／ダウンリンク構成方式が６であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２であり、または、前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である。
【０１０９】
上記の伝送方法において、前記第１サブフレーム番号が複数の初期サブフレームオフセット量に対応する場合、前記第１サブフレーム番号を有する参照サブフレームを利用してアップリンクスケジューリンググラント情報を伝送するステップは、アップリンクスケジューリンググラントによってスケジューリングされる目標サブフレームに基づいて、前記アップリンクスケジューリンググラント情報におけるアップリンクグラントインデックスフィールドに値を与える。よって、移動通信端末は、前記アップリンクスケジューリンググラント情報におけるアップリンクグラントインデックスフィールドの値に基づいて、複数の初期サブフレームオフセット量から一部または全てを選択し、前記目標サブフレームを特定するためのサブフレームオフセット量とする。
【０１１０】
図５に示すように、本開示の実施例の移動通信端末は、ネットワーク側から送信されるアップリンクスケジューリンググラント情報を受信することに用いられる第１受信モジュールと、前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定することに用いられるサブフレームオフセット量特定モジュールと、アップリンクサブフレームおよび／またはスペシャルサブフレームでありかつその第２サブフレーム番号と前記第１サブフレーム番号との差が前記サブフレームオフセット量に等しい目標サブフレームを特定することに用いられる目標サブフレーム特定モジュールと、前記目標サブフレームを利用してＰＵＳＣＨ伝送を行うことに用いられる第１伝送モジュールとを含む。
【０１１１】
図６に示すように、本開示の実施例のネットワーク側機器は、第１サブフレーム番号を有する参照サブフレームを利用してアップリンクスケジューリンググラント情報を伝送することに用いられる第２伝送モジュールと、アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信することに用いられる第２受信モジュールとを含み、サブフレームオフセット量は、前記第１サブフレーム番号、現在のフレーム構造のアップリンク／ダウンリンク構成方式、および、最小３つまたは２つのサブフレームであるユーザの処理時間力に関する。
【０１１２】
上記移動通信端末および／またはネットワーク側機器において、前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、または、前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６である。
【０１１３】
上記移動通信端末および／またはネットワーク側機器において、前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である。
【０１１４】
上記移動通信端末および／またはネットワーク側機器において、前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３である。
【０１１５】
上記移動通信端末および／またはネットワーク側機器において、前記現在のフレーム構造のアップリンク／ダウンリンク構成方式が３であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である。
【０１１６】
上記移動通信端末および／またはネットワーク側機器において、前記現在のフレーム構造のアップリンク／ダウンリンク構成方式が４であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が３であり、前記第１サブフレーム番号が８であると、前記サブフレームオフセット量が３であり、前記第１サブフレーム番号が９であると、前記サブフレームオフセット量が３である。
【０１１７】
上記移動通信端末および／またはネットワーク側機器において、前記現在のフレーム構造のアップリンク／ダウンリンク構成方式が５であり、かつ前記ユーザの処理時間力が最小３つのサブフレームである場合、前記第１サブフレーム番号と前記サブフレームオフセット量との関係として、前記第１サブフレーム番号が８であると、前記サブフレームオフセット量が３であり、前記第１サブフレーム番号が９であると、前記サブフレームオフセット量が３である。
【０１１８】
上記移動通信端末および／またはネットワーク側機器において、前記現在のフレーム構造のアップリンク／ダウンリンク構成方式が６であり、かつ前記ユーザの処理時間力が最小３つのサブフレームである場合、前記第１サブフレーム番号と前記サブフレームオフセット量との関係として、前記第１サブフレーム番号が０であると、前記サブフレームオフセット量が４であり、前記第１サブフレーム番号が１であると、前記サブフレームオフセット量が６および／または５であり、前記第１サブフレーム番号が５であると、前記サブフレームオフセット量が３であり、前記第１サブフレーム番号が６であると、前記サブフレームオフセット量が６および／または５であり、前記第１サブフレーム番号が９であると、前記サブフレームオフセット量が４であり、または、前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３である。
【０１１９】
上記移動通信端末および／またはネットワーク側機器において、前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、または、前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である。
【０１２０】
上記移動通信端末および／またはネットワーク側機器において、前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である。
【０１２１】
上記移動通信端末および／またはネットワーク側機器において、前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である。
【０１２２】
上記移動通信端末および／またはネットワーク側機器において、前記現在のフレーム構造のアップリンク／ダウンリンク構成方式が３であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が１であると、前記サブフレームオフセット量が２および／または３であり、前記第１サブフレーム番号が８であると、前記サブフレームオフセット量が３であり、または、前記第１サブフレーム番号が０であると、前記サブフレームオフセット量が２であり、前記第１サブフレーム番号が１であると、前記サブフレームオフセット量が２および／または３であり、前記第１サブフレーム番号が９であると、前記サブフレームオフセット量が２である。
【０１２３】
上記移動通信端末および／またはネットワーク側機器において、前記現在のフレーム構造のアップリンク／ダウンリンク構成方式が４であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が１であると、前記サブフレームオフセット量が２であり、前記第１サブフレーム番号が９であると、前記サブフレームオフセット量が２である。
【０１２４】
上記移動通信端末および／またはネットワーク側機器において、前記現在のフレーム構造のアップリンク／ダウンリンク構成方式が５であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２であり、前記第１サブフレーム番号が９であると、前記サブフレームオフセット量が２である。
【０１２５】
上記移動通信端末および／またはネットワーク側機器において、前記現在のフレーム構造のアップリンク／ダウンリンク構成方式が６であり、かつ前記ユーザの処理時間力が最小２つのサブフレームである場合、前記第１サブフレーム番号と前記サブフレームオフセット量との関係として、前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２であり、または、前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である。
【０１２６】
なお、本明細書において、「含む」や「含有する」またはそれ以外のあらゆる変形用語は、非排他的に含むことを意味する。よって、一連の要素を含むプロセス、方法、モノまたは装置は、それらの要素を含むだけではなく、明確に列挙されていない他の要素をさらに含み、および／または、このようなプロセス、方法、モノまたは装置に固有の要素をさらに含む。特に限定されない限り、「…を１つ含む」の表現によって限定される要素について、当該要素を含むプロセス、方法、モノまたは装置に他の同一要素の存在を除外しない。
【０１２７】
上述した本開示の実施例の番号は、単に記載用のものであり、実施例の優劣を代表しない。
【０１２８】
上記の実施形態の記載から、当業者は、上述した実施例の方法がソフトウェアに必要な汎用ハードウェアプラットフォームの方式で実現され、もちろんハードウェアによっても実現されるが、多くの場合前者のほうがより好ましい実施形態であると明確に理解することができる。このような理解に基づいて、本開示の技術手段の実質上および／または従来技術に対し貢献した部分は、ソフトウェアプロダクトの形式で表すことができる。当該コンピュータソフトウェアプロダクトは、１つの記憶媒体（例えばＲＯＭ／ＲＡＭ、磁気ディスク、光ディスク）に格納され、本開示の各実施例に記載された方法を１台の端末機器（携帯電話、コンピュータ、サーバー、エアコンディショナ、および／または、ネットワーク機器など）に実行させるための複数の指令を含む。
【０１２９】
以上の記載は、本開示の具体的な実施形態に過ぎない。本開示の保護範囲は、これに限定されない。当業者が本開示に開示されている技術範囲内に容易に想到できる変化または差し替えは、いずれも本開示の保護範囲内に含まれるべきである。従って、本開示の保護範囲は、特許請求の範囲を基準とするべきである。
【符号の説明】
【０１３０】
１０１、１０２、１０３、１０４、４０１、４０２  ステップ
【図１】
2019530364.tif 000022
【図２】
2019530364.tif 000023
【図３ａ】
2019530364.tif 000024
【図３ｂ】
2019530364.tif 000025
【図３ｃ】
2019530364.tif 000026
【図３ｄ】
2019530364.tif 000027
【図３ｅ】
2019530364.tif 000028
【図３ｆ】
2019530364.tif 000029
【図３ｇ】
2019530364.tif 000030
【図３ｈ】
2019530364.tif 000031
【図３ｉ】
2019530364.tif 000032
【図３ｊ】
2019530364.tif 000033
【図３ｋ】
2019530364.tif 000034
【図３ｌ】
2019530364.tif 000035
【図３ｍ】
2019530364.tif 000036
【図３ｎ】
2019530364.tif 000037
【図３ｏ】
2019530364.tif 000038
【図３ｐ】
2019530364.tif 000039
【図３ｑ】
2019530364.tif 000040
【図３ｒ】
2019530364.tif 000041
【図３ｓ】
2019530364.tif 000042
【図４】
2019530364.tif 000043
【図５】
2019530364.tif 000044
【図６】
2019530364.tif 000045
【手続補正書】
【提出日】平成31年3月29日(2019.3.29)
【手続補正１】
【補正対象書類名】明細書
【補正対象項目名】０００３
【補正方法】変更
【補正の内容】
【０００３】
現在、ＴＤＤフレーム構造におけるスペシャルサブフレーム構成方式は、定義されているスペシャルサブフレーム構成方式０〜９を含み、かつＵｐＰＴＳではアップリンクシグナリングとデータの伝送が行われない。ＨＡＲＱ（Ｈｙｂｒｉｄ  Ａｕｔｏｍａｔｉｃ  Ｒｅｐｅａｔ  ｒｅＱｕｅｓｔ）は、ＡＲＱ（Ａｕｔｏｍａｔｉｃ  Ｒｅｐｅａｔ  ｒｅＱｕｅｓｔ）とＦＥＣ（Ｆｏｒｗａｒｄ  Ｅｒｒｏｒ  Ｃｏｒｒｅｃｔｉｏｎ）との融合であり、ＬＴＥシステムにおけるリンク適応手段の一つである。
【手続補正２】
【補正対象書類名】特許請求の範囲
【補正対象項目名】全文
【補正方法】変更
【補正の内容】
【特許請求の範囲】
【請求項１】
移動通信端末に応用される伝送方法において、
ネットワーク側から送信されるアップリンクスケジューリンググラント情報を受信するステップと、
前記アップリンクスケジューリンググラント情報が位置する参照サブフレームの第１サブフレーム番号、現在のフレーム構造のアップリンク／ダウンリンク構成方式、および、最小３つまたは２つのサブフレームであるユーザの処理時間力に基づいて、サブフレームオフセット量を特定するステップと、
アップリンクサブフレームまたはスペシャルサブフレームであり、かつその第２サブフレーム番号と前記第１サブフレーム番号との差が前記サブフレームオフセット量に等しい目標サブフレームを特定するステップと、
前記目標サブフレームを利用して物理アップリンク共有チャネルＰＵＳＣＨ（Ｐｈｙｓｉｃａｌ  Ｕｐｌｉｎｋ  Ｓｈａｒｅｄ  ＣＨａｎｎｅｌ）を伝送するステップとを含む伝送方法。
【請求項２】
前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６であり、
および/または
前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、
または、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である請求項１に記載の伝送方法。
【請求項３】
前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３であり、
および/または
前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１に記載の伝送方法。
【請求項４】
前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、
前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３であり、
および/または
前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である請求項１に記載の伝送方法。
【請求項５】
前記現在のフレーム構造のアップリンク／ダウンリンク構成方式が３であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３であり、
および/または
前記現在のフレーム構造のアップリンク／ダウンリンク構成方式が３であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２および／または３であり、前記第１サブフレーム番号が８であると、前記サブフレームオフセット量が３であり、
または、
前記第１サブフレーム番号が０であると、前記サブフレームオフセット量が２であり、前記第１サブフレーム番号が１であると、前記サブフレームオフセット量が２および／または３であり、前記第１サブフレーム番号が９であると、前記サブフレームオフセット量が２であり、
または、
前記第１サブフレーム番号が０であると、前記サブフレームオフセット量が３であり、前記第１サブフレーム番号が１であると、前記サブフレームオフセット量が３であり、前記第１サブフレーム番号が８であると、前記サブフレームオフセット量が３であり、前記第１サブフレーム番号が９であると、前記サブフレームオフセット量が３である請求項１に記載の伝送方法。
【請求項６】
前記現在のフレーム構造のアップリンク／ダウンリンク構成方式が４であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が８であると、前記サブフレームオフセット量が３であり、前記第１サブフレーム番号が９であると、前記サブフレームオフセット量が３であり、
および/または
前記現在のフレーム構造のアップリンク／ダウンリンク構成方式が４であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が９であると、前記サブフレームオフセット量が２である請求項１に記載の伝送方法。
【請求項７】
前記現在のフレーム構造のアップリンク／ダウンリンク構成方式が５であり、かつ前記ユーザの処理時間力が最小３つのサブフレームである場合、前記第１サブフレーム番号と前記サブフレームオフセット量との関係として、
前記第１サブフレーム番号が８であると、前記サブフレームオフセット量が３であり、前記第１サブフレーム番号が９であると、前記サブフレームオフセット量が３であり、
および/または
前記現在のフレーム構造のアップリンク／ダウンリンク構成方式が５であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が９であると、前記サブフレームオフセット量が２である請求項１に記載の伝送方法。
【請求項８】
前記現在のフレーム構造のアップリンク／ダウンリンク構成方式が６であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が４であり、前記第１サブフレーム番号が１であると、前記サブフレームオフセット量が６および／または５であり、前記第１サブフレーム番号が５であると、前記サブフレームオフセット量が３であり、前記第１サブフレーム番号が６であると、前記サブフレームオフセット量が６および／または５であり、前記第１サブフレーム番号が９であると、前記サブフレームオフセット量が４であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３であり、
および/または
前記現在のフレーム構造のアップリンク／ダウンリンク構成方式が６であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２であり、
または、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１に記載の伝送方法。
【請求項９】
前記第１サブフレーム番号が複数の初期サブフレームオフセット量に対応する場合、
前記アップリンクスケジューリンググラント情報が位置する参照サブフレームの第１サブフレーム番号、現在のフレーム構造のアップリンク／ダウンリンク構成方式、および前記ユーザの処理時間力に基づいて、サブフレームオフセット量を特定するステップは、
前記アップリンクスケジューリンググラント情報のアップリンクグラントインデックスフィールドの値に基づいて、複数の初期サブフレームオフセット量から一部または全てを選択して前記サブフレームオフセット量とする請求項２〜８のいずれか一項に記載の伝送方法。
【請求項１０】
ネットワーク側に応用される伝送方法において、
第１サブフレーム番号を有する参照サブフレームを利用してアップリンクスケジューリンググラント情報を伝送するステップと、
アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信するステップとを含み、
前記サブフレームオフセット量は、前記第１サブフレーム番号、現在のフレーム構造のアップリンク／ダウンリンク構成方式、および、最小３つまたは２つのサブフレームであるユーザの処理時間力に関する伝送方法。
【請求項１１】
前記現在のフレーム構造のアップリンク／ダウンリンク構成方式が０であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３および／または４であり、前記第１サブフレーム番号が１であると、前記サブフレームオフセット量が６および／または５であり、前記第１サブフレーム番号が５であると、前記サブフレームオフセット量が３および／または４であり、前記第１サブフレーム番号が６であると、前記サブフレームオフセット量が６および／または５であり、
または、
前記第１サブフレーム番号が０であると、前記サブフレームオフセット量が３および／または６であり、前記第１サブフレーム番号が１であると、前記サブフレームオフセット量が３および／または６であり、前記第１サブフレーム番号が５であると、前記サブフレームオフセット量が３および／または６であり、前記第１サブフレーム番号が６であると、前記サブフレームオフセット量が３および／または６であり、
および/または
前記現在のフレーム構造のアップリンク／ダウンリンク構成方式が０であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２および／または３であり、前記第１サブフレーム番号が１であると、前記サブフレームオフセット量が３および／または５であり、前記第１サブフレーム番号が５であると、前記サブフレームオフセット量が２および／または３であり、前記第１サブフレーム番号が６であると、前記サブフレームオフセット量が３および／または５であり、
または、
前記第１サブフレーム番号が０であると、前記サブフレームオフセット量が２および／または６であり、前記第１サブフレーム番号が１であると、前記サブフレームオフセット量が２および／または３であり、前記第１サブフレーム番号が５であると、前記サブフレームオフセット量が２および／または６であり、前記第１サブフレーム番号が６であると、前記サブフレームオフセット量が２および／または３である請求項１０に記載の伝送方法。
【請求項１２】
前記現在のフレーム構造のアップリンク／ダウンリンク構成方式が１であり、かつ前記ユーザの処理時間力が最小３つのサブフレームである場合、前記第１サブフレーム番号と前記サブフレームオフセット量との関係として、
前記第１サブフレーム番号が０であると、前記サブフレームオフセット量が３であり、前記第１サブフレーム番号が１であると、前記サブフレームオフセット量が５であり、前記第１サブフレーム番号が４であると、前記サブフレームオフセット量が３であり、前記第１サブフレーム番号が５であると、前記サブフレームオフセット量が３であり、前記第１サブフレーム番号が６であると、前記サブフレームオフセット量が５であり、前記第１サブフレーム番号が９であると、前記サブフレームオフセット量が３であり、
および/または
前記現在のフレーム構造のアップリンク／ダウンリンク構成方式が１であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が１であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が６であると、前記サブフレームオフセット量が２であり、前記第１サブフレーム番号が９であると、前記サブフレームオフセット量が２である請求項１０に記載の伝送方法。
【請求項１３】
前記現在のフレーム構造のアップリンク／ダウンリンク構成方式が２であり、かつ前記ユーザの処理時間力が最小３つのサブフレームである場合、前記第１サブフレーム番号と前記サブフレームオフセット量との関係として、
前記第１サブフレーム番号が３であると、前記サブフレームオフセット量が３であり、前記第１サブフレーム番号が４であると、前記サブフレームオフセット量が３であり、前記第１サブフレーム番号が８であると、前記サブフレームオフセット量が３であり、前記第１サブフレーム番号が９であると、前記サブフレームオフセット量が３であり、
および/または
前記現在のフレーム構造のアップリンク／ダウンリンク構成方式が２であり、かつ前記ユーザの処理時間力が最小２つのサブフレームである場合、前記第１サブフレーム番号と前記サブフレームオフセット量との関係として、
前記第１サブフレーム番号が０であると、前記サブフレームオフセット量が２であり、前記第１サブフレーム番号が４であると、前記サブフレームオフセット量が２であり、前記第１サブフレーム番号が５であると、前記サブフレームオフセット量が２であり、前記第１サブフレーム番号が９であると、前記サブフレームオフセット量が２である請求項１０に記載の伝送方法。
【請求項１４】
ネットワーク側から送信されるアップリンクスケジューリンググラント情報を受信することに用いられる第１受信モジュールと、
前記アップリンクスケジューリンググラント情報が位置する参照サブフレームの第１サブフレーム番号、現在のフレーム構造のアップリンク／ダウンリンク構成方式、および、最小３つおよび／または２つのサブフレームであるユーザの処理時間力に基づいて、サブフレームオフセット量を特定することに用いられるサブフレームオフセット量特定モジュールと、
アップリンクサブフレームおよび／またはスペシャルサブフレームであり、かつその第２サブフレーム番号と前記第１サブフレーム番号との差が前記サブフレームオフセット量に等しい目標サブフレームを特定することに用いられる目標サブフレーム特定モジュールと、
前記目標サブフレームを利用してＰＵＳＣＨ伝送を行うことに用いられる第１伝送モジュールとを含む移動通信端末。
【請求項１５】
第１サブフレーム番号を有する参照サブフレームを利用してアップリンクスケジューリンググラント情報を伝送することに用いられる第２伝送モジュールと、
アップリンクサブフレームまたはスペシャルサブフレームであり、かつその第２サブフレーム番号と前記第１サブフレーム番号との差がサブフレームオフセット量に等しい目標サブフレームでＰＵＳＣＨを受信することに用いられる第２受信モジュールと
を含み、
前記サブフレームオフセット量は、前記第１サブフレーム番号、現在のフレーム構造のアップリンク／ダウンリンク構成方式、および、最小３つまたは２つのサブフレームであるユーザの処理時間力に関するネットワーク側機器。
【国際調査報告】
2019530364.tif 000046
2019530364.tif 000047
2019530364.tif 000048
2019530364.tif 000049